(57)【要約】【課題】表示された情報と記憶されたデータの対応関係が適正でない状態を妨げるようにする。【解決手段】表示媒体１００は、表示体１１０と、無線タグ１２０と、接点１３３及び１３４とを備える。無線タグ１２０は、図示せぬ情報記録装置と無線通信を行い、記憶手段を内部に備える。無線タグ１２０は、接点１３３及び１３４と電気的に接続されており、接点１３３と接点１３４とが電気的に接続された場合に記憶手段に記憶されたデータを変更可能な状態になる。接点１３３と接点１３４とを電気的に接続する手段は、例えば情報記録装置に設けられている。【選択図】図４
2010072566.tif 000002
【特許請求の範囲】
【請求項１】
情報を表示する表示手段であって、情報記録手段によって前記情報が書き換えられる表示手段と、
前記表示手段に表示されている情報に対応付けられたデータを記憶する記憶手段と、
前記情報記録手段により前記情報が書き換えられた場合に書き換え後の前記情報に対応付けられた前記データを供給するデータ供給装置と無線通信を行い、前記記憶手段に記憶されたデータを前記表示手段の書き換えに応じて変更する変更手段と、
当該表示媒体があらかじめ決められた状態で前記データ供給装置に装着されていない場合に、前記変更手段によるデータの変更を妨げる状態にするデータ変更制御機構と
を備えることを特徴とする表示媒体。
【請求項２】
前記データ変更制御機構が、
当該表示媒体があらかじめ決められた状態で前記データ供給装置に装着されている場合に、互いが電気的に接続される第１及び第２の接点を備え、
前記第１及び第２の接点が電気的に接続されていない場合に、前記変更手段によるデータの変更を妨げる状態にする
ことを特徴とする請求項１に記載の表示媒体。
【請求項３】
前記第１及び第２の接点が電気的に接続されている場合とされていない場合とで値を変化させる記憶領域を備え、
前記変更手段が、
前記第１及び第２の接点が電気的に接続されていないことを前記記憶領域の値が示している場合に、データの変更を妨げる
ことを特徴とする請求項２に記載の表示媒体。
【請求項４】
前記変更手段が、前記データの変更を妨げる場合において、当該データの読み出しを妨げないことを特徴とする請求項３に記載の表示媒体。
【請求項５】
前記データ変更制御機構が、
光を検知する検知手段を備え、
前記検知手段があらかじめ決められたパターンと異なるパターンの光を検知した場合に、前記変更手段によるデータの変更を妨げる状態にする
ことを特徴とする請求項１に記載の表示媒体。
【請求項６】
前記表示手段は、照射された光に応じた表示を行い、
前記情報記録手段は、前記情報に応じた光を照射し、
前記検知手段は、前記表示手段に並んで設けられる
ことを特徴とする請求項５に記載の表示媒体。
【請求項７】
前記データ変更制御機構に代えて、当該表示媒体があらかじめ決められた状態で前記データ供給装置に装着されている場合に、前記変更手段によるデータの変更を妨げない状態にするデータ変更制御機構を備えることを特徴とする請求項１に記載の表示媒体。
【請求項８】
請求項１ないし７のいずれかに記載の表示媒体と、
前記表示媒体に記録された情報を書き換える情報記録手段と、
前記情報記録手段により前記表示媒体に記録された情報が書き換えられ、当該表示媒体が前記あらかじめ決められた状態で装着されている場合に、書き換え後の前記情報に対応付けられた前記データを前記変更手段に供給するデータ供給手段と
を備えることを特徴とする情報記録システム。
【発明の詳細な説明】
【技術分野】
【０００１】
本発明は、表示媒体及び情報記録システムに関する。
【背景技術】
【０００２】
情報の書き換えが可能であり、かつ、外部から電力を供給されないでも表示された情報を維持する表示媒体（以下、単に「表示媒体」ともいう。）には、いわゆる電子ペーパなどがある。かかる表示媒体は、携帯することが容易である。また、無線タグ、すなわち無線通信を行う半導体チップを表示媒体に設ける技術が知られている（例えば、特許文献１及び２参照）。
【特許文献１】特開２００４−１２７２７９号公報
【特許文献２】特開２００７−３２３３６５号公報
【発明の開示】
【発明が解決しようとする課題】
【０００３】
本発明の目的は、情報の書き換えが可能であり、表示された情報に対応するデータを記憶する無線タグ等の記憶手段を備える表示媒体において、表示された情報と記憶されたデータとの対応関係が適正でない状態を妨げるようにすることにある。
【課題を解決するための手段】
【０００４】
本発明の請求項１に係る表示媒体は、情報を表示する表示手段であって、情報記録手段によって前記情報が書き換えられる表示手段と、前記表示手段に表示されている情報に対応付けられたデータを記憶する記憶手段と、前記情報記録手段により前記情報が書き換えられた場合に書き換え後の前記情報に対応付けられた前記データを供給するデータ供給装置と無線通信を行い、前記記憶手段に記憶されたデータを前記表示手段の書き換えに応じて変更する変更手段と、当該表示媒体があらかじめ決められた状態で前記データ供給装置に装着されていない場合に、前記変更手段によるデータの変更を妨げる状態にするデータ変更制御機構とを備える構成を有する。
【０００５】
本発明の請求項２に係る表示媒体は、請求項１の構成において、前記データ変更制御機構が、当該表示媒体があらかじめ決められた状態で前記データ供給装置に装着されている場合に、互いが電気的に接続される第１及び第２の接点を備え、前記第１及び第２の接点が電気的に接続されていない場合に、前記変更手段によるデータの変更を妨げる状態にする構成を有する。
本発明の請求項３に係る表示媒体は、請求項２の構成において、前記第１及び第２の接点が電気的に接続されている場合とされていない場合とで値を変化させる記憶領域を備え、前記変更手段が、前記第１及び第２の接点が電気的に接続されていないことを前記記憶領域の値が示している場合に、データの変更を妨げる構成を有する。
本発明の請求項４に係る発明は、請求項３の構成において、前記変更手段が、前記データの変更を妨げる場合において、当該データの読み出しを妨げない構成を有する。
【０００６】
本発明の請求項５に係る表示媒体は、請求項１の構成において、前記データ変更制御機構が、光を検知する検知手段を備え、前記検知手段があらかじめ決められたパターンと異なるパターンの光を検知した場合に、前記変更手段によるデータの変更を妨げる状態にする構成を有する。
本発明の請求項６に係る表示媒体は、請求項５の構成において、前記表示手段は、照射された光に応じた表示を行い、前記情報記録手段は、前記情報に応じた光を照射し、前記検知手段は、前記表示手段に並んで設けられる構成を有する。
【０００７】
本発明の請求項７に係る表示媒体は、請求項１の構成において、前記データ変更制御機構に代えて、当該表示媒体があらかじめ決められた状態で前記データ供給装置に装着されている場合に、前記変更手段によるデータの変更を妨げない状態にするデータ変更制御機構を備える構成を有する。
【０００８】
本発明の請求項８に係る情報記録システムは、請求項１ないし７のいずれかに記載の表示媒体と、前記表示媒体に記録された情報を書き換える情報記録手段と、前記情報記録手段により前記表示媒体に記録された情報が書き換えられ、当該表示媒体が前記あらかじめ決められた状態で装着されている場合に、書き換え後の前記情報に対応付けられた前記データを前記変更手段に供給するデータ供給手段とを備える構成を有する。
【発明の効果】
【０００９】
本発明の請求項１及び８の構成によれば、表示された情報と記憶されたデータとの対応関係が適正でない状態を妨げるようにすることができる。
本発明の請求項２の構成によれば、第１及び第２の接点間の電気的接続の有無によって、表示媒体があらかじめ決められた状態で装着されているか否かを判断することができる。
本発明の請求項３の構成によれば、第１及び第２の接点が電気的に接続されていない場合であっても、データの変更以外の動作を行うことができる。
本発明の請求項４の構成によれば、データの読み出しを行う場合には、表示媒体があらかじめ決められた状態で装着されている必要がないようにすることができる。
本発明の請求項５の構成によれば、あらかじめ決められた光のパターンを知らなければ、記憶手段に記憶されたデータの変更を行い得ないようにすることができる。
本発明の請求項６の構成によれば、検知手段による検知に必要な光を情報記録手段によって照射することができる。
本発明の請求項７の構成によれば、表示媒体をあらかじめ決められた状態で装着することができるデータ供給装置が供給するデータによって、記憶手段に記憶されたデータを変更することができる。
【発明を実施するための最良の形態】
【００１０】
［第１実施形態］
図１は、本発明の第１の実施形態である情報管理システムの構成を示す図である。本実施形態の情報管理システム１０は、ある空間（建造物や、その一室など）からの情報の持ち出しを管理する目的で設けられるものであり、表示媒体１００と、情報記録装置２００と、サーバ装置３００と、読取装置４００とを備える。これらは、いずれも、その数を特に問わない。なお、以下においては、情報管理システム１０が管理の対象とする空間のことを、「管理空間」という。
【００１１】
表示媒体１００は、後述する表示体１１０を備え、情報を表示する。また、表示媒体１００は、後述する無線タグ１２０を備え、表示される情報に応じたデータを記憶する。なお、本実施形態の表示媒体１００は、それ自体が情報を書き換えるものではなく、情報記録装置２００に装着されることで情報が書き換えられるものであるとする。表示媒体１００の使用者は、この表示媒体１００を所持して、管理空間の内外を行き来する。また、表示媒体１００の使用者は、情報を書き換える場合には、表示媒体１００を情報記録装置２００に装着させる。なお、ここでいう「書き換え」には、ある情報が表示された状態から別の情報が表示された状態への変更と、ある情報が表示された状態から情報が何も表示されていない状態への変更とが含まれる。後者の状態は、情報が消去されている状態である。
【００１２】
図２は、表示体１１０の構成の一例を示す図である。本実施形態の表示体１１０としては、この図２に示す光書込型表示体を用いることとする。ここにおいて、光書込型表示体とは、照射された光に応じた表示を行う表示素子を有する表示体をいう。かかる表示素子には、例えば、コレステリック液晶表示素子がある。
【００１３】
表示体１１０は、フィルム基板１１１及び１１７と、透明電極１１２及び１１６と、光導電層１１３と、着色層１１４と、表示素子層１１５とを有する。なお、本実施形態の光書込型表示体は、モノクロ表示を行う表示体である。フィルム基板１１１及び１１７は、表示媒体１００の表面を保護するために設けられた層であり、例えば、ＰＥＴ（Polyethylene Terephthalate）により形成される。フィルム基板１１１は、光が照射される側の面にあり、フィルム基板１１７は、記録された情報を使用者が観察する側の面にある。透明電極１１２及び１１６は、例えば、ＩＴＯ（Indium Tin Oxide）により形成される層であり、電圧が印加されると、各々の間に電位差が生じる。光導電層１１３は、照射される光の光量に応じてその導電率を異ならせる導電体（すなわち光導電体）により形成される層である。光導電層１１３としては、例えば、有機光導電体が用いられる。
【００１４】
着色層１１４は、表示素子層１１５が光を透過する場合に観察される層であり、あらかじめ決められた色（本実施形態においては、黒）になされている。表示素子層１１５は、印加される電圧に応じて光の反射状態を異ならせる表示素子を含む層である。本実施形態の表示素子層１１５は、バインダー樹脂中にマイクロカプセル状のコレステリック液晶表示素子を分散させたものである。コレステリック液晶表示素子は、配向状態として、プレーナ配向状態とフォーカルコニック配向状態とになり得る。コレステリック液晶表示素子は、プレーナ配向状態にある場合には、光を反射（ブラッグ反射）してあらかじめ決められた色（本実施形態においては、白）を呈し、フォーカルコニック配向状態にある場合には、光を透過して着色層１１４の色を呈する。コレステリック液晶表示素子がいかなる配向状態となるかは、コレステリック液晶表示素子に生じる電位差によって決まる。コレステリック液晶表示素子に生じる電位差は、対向する光導電層１１３の導電率に応じて変化する。
【００１５】
図３は、無線タグ１２０の構成を示すブロック図である。同図に示すように、無線タグ１２０は、通信部１２１と、電力抽出部１２２と、制御部１２３と、記憶部１２４とを備える。通信部１２１及び制御部１２３は、これらが協働して本発明の変更手段を実現する。通信部１２１は、コイル等のアンテナを備え、電磁波の送受信を行う。電力抽出部１２２は、例えば整流回路を備え、通信部１２１が受信した電磁波から電力を抽出する。本実施形態の無線タグ１２０は、電力抽出部１２２が抽出した電力を用いて動作する。よって、本実施形態の表示媒体１００は、電池を内蔵する必要がないが、電力抽出部１２２が抽出した電力と電池の電力とを併用する構成であってもよい。制御部１２３は、ＣＰＵ（Central Processing Unit）、メモリ、変調器、復調器などを備え、通信部１２１が受信した電磁波を復調してデータを取得し、取得したデータを記憶部１２４に記憶させるとともに、記憶部１２４からデータを読み出して取得し、取得したデータを変調した電磁波を発生させて通信部１２１に供給する。記憶部１２４は、制御部１２３の制御に応じて、データを含むデータを記憶する。記憶部１２４としては、例えば、ＥＥＰＲＯＭ（Electrically Erasable and Programmable Read-Only Memory）が用いられる。
【００１６】
記憶部１２４に記憶されるデータは、表示媒体１００に表示されている情報に対応付けられたデータであり、表示媒体１００に表示されている情報が書き換えられると変更されるデータを含む。以下においては、このデータのことを「属性データ」という。属性データは、対応する表示データを識別するデータであり、例えば、表示データにあらかじめ割り当てられた文字列（名称等）を表す。ただし、属性データは、表示データを識別できるものであればいかなるデータであってもよいため、表示データそのものであってもよい。
【００１７】
なお、本実施形態において、記憶部１２４は、属性データの変更の可否を示すデータを記憶する記憶領域を有する。以下においては、このデータのことを「フラグデータ」といい、フラグデータが記憶される記憶領域のことを「フラグ領域」という。フラグデータは、例えば、「１（許可）」又は「０（不可）」のいずれかをとり得る２値のデータである。なお、フラグ領域は、記憶部１２４に設けられるのではなく、制御部１２３内部に設けられていてもよい。
【００１８】
図４は、表示媒体１００の外観を示す図である。同図に示すように、表示媒体１００は、表示体１１０が形成されている領域（すなわち、情報が記録される領域）と、そうでない領域とを有する。情報が記録されない領域には、無線タグ１２０が内蔵されるとともに、複数の接点１３１、１３２、１３３及び１３４が設けられている。このうち、接点１３１及び１３２は、透明電極１１２又は１１６と電気的に接続されて電極を構成するものである。なお、接点１３１及び１３２は、表示媒体１００から導線を引き出し、その先端に端子を設けた形状としてもよい。一方、接点１３３及び１３４は、制御部１２２と電気的に接続されており、表示媒体１００が情報記録装置２００に装着されている場合にこの接点間が電気的に接続されるように構成されている。なお、この電気的接続に関する構成の詳細については、後述する。
【００１９】
情報記録装置２００は、ある記録方式により表示媒体１００に情報を記録する。本実施形態の情報記録装置２００の記録方式は、光書込型表示体に対応した光書込方式である。情報記録装置２００は、表示媒体１００が装着された場合に、その表示媒体１００に表示されている情報を書き換える。本実施形態の情報記録装置２００は、情報を記録する手段であるとともに、情報を消去する手段でもある。また、本実施形態の情報記録装置２００は、表示媒体１００が装着された場合に、その表示媒体１００に新たに記憶される属性データを供給する。すなわち、本実施形態の情報記録装置２００は、本発明のデータ供給装置の一例であり、本発明のデータ供給装置と情報記録手段とを兼ねるものである。
【００２０】
図５は、情報記録装置２００の構成を示すブロック図である。同図に示すように、情報記録装置２００は、制御部２１０と、記憶部２２０と、記録部２３０と、第１通信部２４０と、第２通信部２５０とを備える。制御部２１０は、ＣＰＵやメモリを備え、情報記録装置２００の動作を制御する。記憶部２２０は、表示媒体１００が表示する情報を表すデータ（以下「表示データ」という。）と、属性データとを記憶する。表示データは、例えば、表示する情報を各画素の階調値で表したデータであってもよいし、決められた圧縮（符号化）方式で圧縮されたデータであってもよい。属性データは、表示データを識別するための名称や記号を含むデータである。表示データと属性データとは、対応付けを有し、対（つい）になるようにやりとりされる。なお、表示データ及び属性データは、あらかじめ記憶されていてもよいし、サーバ装置３００から供給されてもよい。制御部２１０は、表示データを記録部２３０に供給し、属性データを第１通信部２４０に供給する。
【００２１】
記録部２３０は、情報記録装置２００の記録方式に従って情報を記録する。すなわち、記録部２３０は、本発明における情報記録手段の一例である。本実施形態においては、記録方式が光書込方式であるため、記録部２３０は光源を備える。ここにおいて、記録部２３０は、表示体１１０の全面に同時に光を照射する面状の光源を備える構成であってもよいし、表示体１１０のある方向（主走査方向）にわたって線状又は帯状の光を照射する光源と、この光源を当該ある方向と交差する方向（副走査方向）に移動させる移動手段とを備える構成であってもよい。記録部２３０は、かかる構成のもと、制御部２１０から表示データを取得し、表示データが表す情報に応じた光を照射する。
【００２２】
なお、本実施形態の記録部２３０は、表示媒体１００の表示に要する電力を供給する手段を兼ねる。すなわち、本実施形態の記録部２３０は、表示媒体１００の表示に要する電圧を発生させる手段と、接点１３１及び１３２と電気的に接続して透明電極１１２及び１１６の間に電位差を生じさせる手段とを備える。ただし、記録部２３０は、表示媒体１００が電池を内蔵する場合などには、電力を供給する必要がない。
【００２３】
第１通信部２４０は、表示媒体１００と通信を行い、第２通信部２５０は、サーバ装置３００と通信を行う。第１通信部２４０は、無線タグ１２０と通信を行うため、無線の通信手段であり、無線タグ１２０が受信する電磁波を発生させるとともに、無線タグ１２０が発生させる電磁波を受信する。第１通信部２４０は、無線タグ１２０が行う変調及び復調の方式に対応した方式の変調及び復調を行う。第２通信部２５０は、サーバ装置３００と通信可能であれば、有線又は無線のいずれであってもよい。
【００２４】
サーバ装置３００は、情報記録装置２００及び読取装置４００と通信を行い、情報記録装置２００及び読取装置４００にデータを供給する。サーバ装置３００が情報記録装置２００に供給するデータには、表示データと属性データとが含まれる。サーバ装置３００は、情報記録装置２００に表示データを供給する場合には、これと対になる属性データを対応付けて送信する。また、サーバ装置３００が読取装置４００に供給するデータは、属性データが含まれる。サーバ装置３００は、情報の持ち出しが許可されていない情報に対応する属性データ（あるいは、情報の持ち出しが許可されている情報に対応する属性データ）を、不正な持ち出しを判断するためのデータとして読取装置４００に供給する。
【００２５】
図６は、サーバ装置３００が実現する機能を示す機能ブロック図である。サーバ装置３００は、同図に示すように、データ取得部３１０及びデータ供給部３２０に相当する機能を実現する。なお、これらの機能は、ＣＰＵ、記憶装置、通信インタフェース装置などの協働により実現される。データ取得部３１０は、表示データ及び属性データを取得する機能を実現する。データ取得部３１０は、外部（例えば、インターネットに接続された他のサーバ装置）から表示データ及び属性データを取得してもよいし、サーバ装置３００が備える記憶装置から表示データ及び属性データを取得してもよい。なお、属性データは、表示データがインターネットやこれに準ずるネットワークを介して取得される場合には、その表示データのＵＲＬ（Uniform Resource Locator）であってもよい。データ供給部３２０は、データ取得部３１０が取得した表示データ及び属性データを情報記録装置２００に供給する。また、データ供給部３２０は、属性データを、不正な持ち出しを判断するためのデータとして読取装置４００に供給する。
【００２６】
読取装置４００は、管理空間の境界（出口等）に設けられ、自装置の近傍を通過する表示媒体１００に記憶された属性データを無線通信により読み取る。ここにおける「近傍」とは、無線タグ１２０の通信距離（通信が可能な距離）に応じて決まる範囲であり、無線タグ１２０の通信距離以下の範囲をいう。読取装置４００は、読み取った属性データに対応する情報の持ち出しの可否を判断し、必要に応じて通知を行う。なお、読取装置４００は、いわゆるゲートの形状を有していてもよいし、使用者が表示媒体１００をかざす動作を行うことによって読み取りを行うものであってもよい。
【００２７】
図７は、読取装置４００が実現する機能を示す機能ブロック図である。読取装置４００は、同図に示すように、データ取得部４１０、データ読取部４２０、判断部４３０及び通知部４４０に相当する機能を実現する。なお、これらの機能は、ＣＰＵ、通信インタフェース装置などの協働により実現される。データ取得部４１０は、サーバ装置３００から属性データを取得する機能を実現する。データ読取部４２０は、表示媒体１００と無線通信を行い、表示媒体１００に記憶されている属性データを読み取る機能を実現する。判断部４３０は、データ取得部４１０が取得した属性データとデータ読取部４２０が読み取った属性データとを比較し、読み取りの対象の表示媒体１００に表示されている情報が持ち出しのできるものであるか否かを判断する。通知部４４０は、判断部４３０により持ち出しが許可されていないと判断された場合に、通知を行う。通知部４４０が行う通知は、ブザー等に警告音を発させるものであってもよいし、サーバ装置３００に判断結果を送信するものであってもよい。また、通知部４４０は、判断結果を「○」や「×」といった記号で通知してもよい。
【００２８】
本実施形態の情報管理システム１０の構成は、以上のとおりである。この構成のもと、情報管理システム１０においては、管理空間における情報の持ち出し（漏洩など）が管理される。ここでいう管理とは、情報の持ち出しを記録（いわゆるログ）として保存することや、情報の不正な持ち出しがあった場合にこれを通知することである。かかる管理を実現するため、情報記録装置２００は、装着された表示媒体１００の情報を書き換える場合に、書き換え後の情報に対応する属性データを表示媒体１００に供給する。例えば、情報記録装置２００は、属性データが「Ａ」である情報を書き換え、属性データが「Ｂ」である情報を表示させる場合には、この「Ｂ」なる属性データを表示媒体１００に供給する。表示媒体１００の無線タグ１２０は、新たな属性データの供給を受け、記憶された属性データを「Ａ」から「Ｂ」に変更する。
【００２９】
サーバ装置３００は、持ち出しの判断に用いる属性データを読取装置４００に供給する。読取装置４００は、管理空間内から管理空間外に移動する表示媒体１００がある場合に、その表示媒体１００の属性データを読み取り、読み取った属性データとサーバ装置３００から供給された属性データとを比較する。読取装置４００は、比較結果が不正な持ち出しとみなされる場合には、その旨を通知する。この場合において、情報の持ち出しは、表示媒体１００に表示された情報自体を人為的又は機械的に確認したりすることなく特定される。なお、読取装置４００は、不正でない場合についても通知を行うようにしてもよい。
【００３０】
本実施形態の表示媒体１００は、あらかじめ決められた状態で情報記録装置２００に装着され得るように構成されており、この状態で装着された場合に属性データの変更が可能になるように構成されている。以下においては、属性データの変更が可能になる表示媒体１００の装着状態のことを、「変更可能状態」という。
【００３１】
本実施形態の表示媒体１００は、変更可能状態でない場合には、フラグ領域のフラグデータの値が変更を許可しない値（ここでは「０」とする。）となり、変更可能状態になった場合には、フラグ領域のフラグデータの値が変更を許可する値（ここでは「１」とする。）に変更されるように構成されている。具体的には、表示媒体１００の無線タグ１２０は、接点１３３と接点１３４とが電気的に接続された場合に、フラグデータの値を「１」に変更する。無線タグ１２０は、フラグデータの値が「０」である場合には、属性データの変更を行わず、フラグデータの値が「１」である場合には、属性データの変更を行う。なお、無線タグ１２０は、フラグデータの値が「０」である場合には、その旨を情報記録装置２００に通知し、情報記録装置２００に情報の書き換えを行わせないようにする。よって、本実施形態の情報記録装置２００は、情報の書き換えを行う前に、表示媒体１００が変更可能状態であるか否かを判断する。
【００３２】
なお、本実施形態の表示媒体１００は、属性データを変更した後には、変更可能状態であっても、フラグデータの値を「０」にすると、望ましい。なぜならば、情報の書き換え後に表示媒体１００を情報記録装置２００から外す場合には、フラグデータの値を「１」から「０」に書き換える前に変更可能状態でなくなる可能性があるからである。例えば、表示媒体１００を比較的速く外した場合や、無線タグ１２０による無線通信が可能な距離が比較的短い場合には、フラグデータの値を「１」から「０」に書き換える前に変更可能状態でなくなる可能性が比較的に高くなる。
【００３３】
図８及び図９は、表示媒体１００の接点１３３及び１３４の電気的な接続を制御する構成を例示する図である。図８（ａ）は、表示媒体１００を収容する凹部２００ａと、接点１３３及び１３４を電気的に接続させる導通部２００ｂとを情報記録装置２００に設けた構成を示している。凹部２００ａは、表示媒体１００がはめ込まれるように構成されている。なお、凹部２００ａには、はめ込まれた表示媒体１００を覆うカバーが設けられたり、収容された表示媒体１００を動かないように固定する爪状の部材が設けられたりしていてもよい。導通部２００ｂは、表示媒体１００が凹部１００ａに決められた向きで収容された場合に接点１３３及び１３４と対向して接触する導体である。
【００３４】
図８（ｂ）は、図８（ａ）に示す一点鎖線の部分を切断面とした断面図である。なお、同図においては、接点１３３及び１３４や導通部２００ｂの厚さを強調して示している。導通部２００ｂは、表示媒体１００が決められた向きで収容された場合に、同図に示すように接点１３３及び１３４に接触し、接点１３３と接点１３４とを電気的に接続する。このように導通部２００ｂと接点１３３及び１３４とが接触した状態が、この例における変更可能状態である。
【００３５】
図９は、図８の導通部２００ｂに相当する構成を表示媒体１００に設ける場合を示している。同図に示す導通部１００ａは、情報記録装置２００に装着されていない状態においては、接点１３３及び１３４と接触しないように構成されている。例えば、導通部１００ａは、接点１３３及び１３４から離れようとする方向に力を作用させる部材（ゴム、バネ等）が設けられていてもよい。なお、導通部１００ａは、使用者の指等によっては容易に接点１３３及び１３４と接触しない構造にすると、より望ましい。また、凸部２００ｃは、情報記録装置２００に設けられており、表示媒体１００が凹部２００ａに決められた向きで収容された場合に、導通部１００ａに対して接点１３３及び１３４に接近する方向の力を作用させる部材である。つまり、導通部１００ａは、表示媒体１００が情報記録装置２００に装着されていない場合には、図９（ａ）に示す状態にあり、表示媒体１００が情報記録装置２００に装着されると、図９（ａ）に示す状態から図９（ｂ）に示す状態に変化する。図９（ｂ）に示す状態は、この例における変更可能状態である。
【００３６】
なお、情報記録装置２００は、凹部２００ａに代えて、表示媒体１００を収容する空間と当該空間に表示媒体１００を挿入する挿入口とを備え、表示媒体１００が決められた向きで挿入された場合に変更可能状態になる構成であってもよい。また、情報記録装置２００は、決められた位置に置かれた表示媒体１００を動かないように保持する複数の突起を備える構成でもよい。
【００３７】
以上のとおり、本実施形態の表示媒体１００及び情報記録装置２００によれば、表示媒体１００が変更可能状態にある場合に、フラグデータが「１」となり、無線タグ１２０に記憶された属性データの変更を妨げない状態になる。また、本実施形態の表示媒体１００及び情報記録装置２００によれば、表示媒体１００が変更可能状態にない場合にフラグデータが「０」となり、無線タグ１２０に記憶された属性データの変更を妨げる状態になる。すなわち、本実施形態において、フラグデータ（又はフラグデータを記憶する記憶領域）や図８又は９に示す構成は、本発明のデータ変更制御機構として機能する。
【００３８】
本実施形態の表示媒体１００に記憶された属性データを情報記録装置２００と異なる他の記録装置（例えば、市販の無線タグ用リーダライタ）で書き換えようとした場合、当該他の記録装置によっては接点１３３及び１３４が電気的に接続されないので、この場合には属性データが変更されない。
【００３９】
また、本実施形態の表示媒体１００は、接点１３３及び１３４が電気的に接続されなければ属性データの変更が不可能であるため、通信距離内に複数の無線タグがあったとしても、装着されている一の表示媒体１００の無線タグ１２０に記憶された属性データのみが変更される。よって、本実施形態の表示媒体１００及び情報記録装置２００によっては、無線タグ１２０と異なる他の無線タグによる偽装行為（装着された表示媒体１００に情報を記録しつつ、当該情報に対応する属性データを当該表示媒体１００の無線タグ１２０に記憶させずに他の無線タグに記憶させる行為）が行えない。
【００４０】
さらに、本実施形態の表示媒体１００は、フラグデータの値が「１」にならなければ情報を書き換えることができないので、無線タグ１２０を破損等させて動作しないようにした場合、情報記録装置２００による情報の書き換えが行われない。
【００４１】
なお、本実施形態の表示媒体１００は、接点１３３及び１３４が電気的に接続されていなくても属性データの読み出しが妨げられないため、読取装置４００にデータ変更制御機構に相当する機構を設ける必要がない。
【００４２】
［第２実施形態］
本実施形態は、上述した第１実施形態と異なるデータ変更制御機構を採用するものであるが、データ変更制御機構以外の構成については、第１実施形態と共通である（ただし、本実施形態においては、フラグデータ及びフラグ領域が不要である。）。よって、以下においては、主として本実施形態のデータ変更制御機構について説明し、第１実施形態と共通する構成の説明を省略する。なお、本実施形態の説明に際し、第１実施形態と共通する構成には、第１実施形態と同じ符号を用いる。
【００４３】
図１０は、本実施形態の表示媒体の外観を示す図である。本実施形態の表示媒体５００は、第１実施形態の接点１３３及び１３４（図４参照）に代えて、光を検知する検知部１４０を備える。検知部１４０は、光の強弱に応じて電気的特性を変化させる受光素子を備える。検知部１４０の受光素子は、単一であってもよいが、複数あると望ましい。検知部１４０は、無線タグ１２０と電気的に接続されており、無線タグ１２０が検知部１４０の検知結果を取得できるように構成されている。検知部１４０の受光素子は、光起電力効果を用いたものであってもよいし、光導電効果を用いたものであってもよい。受光素子としては、例えば、フォトトランジスタやフォトレジスタが用いられる。
【００４４】
なお、本実施形態の検知部１４０は、記録部２３０が光を照射する側の面のあらかじめ決められた位置に、表示体１１０と並べて設けられている。これは、記録部２３０が表示体１１０に光を照射する手段と検知部１４０に光を照射する手段とを兼ねているためである。ここにおいて、「あらかじめ決められた位置」とは、記録部２３０が光を照射することのできる位置のいずれかをいう。
【００４５】
本実施形態の情報記録装置２００の構成は、記録部２３０が光を照射する領域が異なる点が第１実施形態の構成と異なる。すなわち、本実施形態の記録部２３０は、表示体１１０に加え、検知部１４０にも光を照射する。また、本実施形態の情報記録装置２００は、表示媒体１００の接点１３３及び１３４に対応する構成（導通部２００ｂや凸部２００ｃ）を備える必要がない。
なお、本実施形態のサーバ装置３００及び読取装置４００の構成は、第１実施形態の構成と同様である。
【００４６】
以上の構成のもと、情報記録装置２００は、あらかじめ決められた状態で装着された表示媒体５００の表示体１１０及び検知部１４０に光を照射する。情報記録装置２００は、情報の記録を行う前、すなわち表示体１１０に光を照射する前に、検知部１４０にあるパターンの光を照射する。このとき、情報記録装置２００は、無線タグ１２０を動作させるための電磁波を発生させる。
【００４７】
記録部２３０が検知部１４０に照射する光のパターンは、あらかじめ決められている。例えば、検知部１４０が４個の受光素子を有する場合には、第１の受光素子と第３の受光素子には光を照射し、第２の受光素子と第４の受光素子には光を照射しない、といった具合である。なお、光の照射パターンや受光素子の個数は、特に限定されない。表示媒体５００の無線タグ１２０は、検知部１４０に照射された光のパターンを特定し、特定したパターンがあらかじめ決められたパターンである場合に、表示媒体５００を変更可能状態にする。換言すれば、表示媒体５００は、検知部１４０に決められたパターンの光が照射されるまでは、情報記録装置２００に装着されていても変更可能状態にはならない。
【００４８】
本実施形態の表示媒体５００によれば、検知部１４０があらかじめ決められたパターンの光を検知しなければ、属性データを変更することができず、属性データの変更が妨げられる状態になる。よって、検知部１４０に光を照射しない記録装置を用いた場合や、あらかじめ決められたパターンが不明な場合には、属性データが変更されることがない。
【００４９】
［変形例］
上述した実施形態は、本発明の一例である。本発明は、例えば、以下の変形例を適用可能である。なお、上述した実施形態及び以下の変形例は、必要に応じて、これらを組み合わせて適用してもよい。
【００５０】
（１）変形例１
本発明は、第１実施形態の構成においてフラグデータを用いない態様によっても実施可能である。フラグデータを用いない場合には、接点１３３及び１３４が電気的に接続されていないと無線タグ１２０が動作しない状態（例えば、電力抽出部１２２と制御部１２３の電気的接続が断たれる状態）にすることで、変更可能状態とそうでない状態とが切り替わるようになる。ただし、この場合には、データを（変更するのではなく）読み出すだけであっても、接点１３３及び１３４が電気的に接続されていることを要する。
【００５１】
つまり、本発明における「データの変更を妨げる状態」には、変更手段が動作し得ない状態と、変更手段自体は動作するが、データの変更は行い得ない状態とが含まれる。後者の状態は、換言すれば、変更手段がデータの変更を行い得ないようにその動作を制御している状態である。
【００５２】
（２）変形例２
本発明は、第１実施形態の構成においてフラグデータを用いない場合に、接点１３１及び１３２の間（すなわち、透明電極１１２及び１１６の間）に電位差が生じているか否かを判断することによって変更可能状態であるか否かを判断する構成を採用し得る。この構成においては、接点１３１及び１３２の間の電位差や電気抵抗などを検知する手段を設け、接点１３１及び１３２と記録部２３０とが電気的に接続された状態をもって変更可能状態とする。この場合、接点１３３及び１３４や、図８及び図９に示す構成は、不要である。
【００５３】
（３）変形例３
第２実施形態は、表示体１１０に光を照射する手段と検知部１４０に光を照射する手段とを別体に構成することを妨げるものではない。すなわち、第２実施形態は、記録部２３０を表示体１１０に光を照射する第１の照射手段として機能させるとともに、検知部１４０に光を照射する第２の照射手段をさらに備える構成であってもよい。
【００５４】
（４）変形例４
第２実施形態は、照射する光のパターンに情報を付与する構成であってもよい。かかる構成の場合、照射する光のパターンをあらかじめ複数定めておき、表示媒体５００の無線タグ１２０は、特定した光のパターンに応じて動作の内容を異ならせる。例えば、無線タグ１２０は、あるパターンの場合には属性データの変更を許可し、別のパターンの場合には属性データの変更を許可しない、というようにしてもよいし、属性データの読み出しのみを許可するパターンと属性データの読み出し及び変更を許可するパターンとがあるようにしてもよい。
なお、本発明において、光のパターンは、第２実施形態のような位置の相違による類型に加え、時間の相違による類型を含む概念である。すなわち、光のパターンは、光の強弱の時間的な推移を表すものであってもよい。
【００５５】
（５）変形例５
無線タグ１２０が記憶するデータは、表示されている情報に対応するものであればよく、属性データである必要はない。
図１１は、無線タグ１２０が記憶するデータの変形例を示す図である。無線タグ１２０に記憶されているデータは、同図における「１」又は「０」のデータである。これらのデータは、あらかじめ記憶領域が割り当てられており、割り当てられたそれぞれの記憶領域が属性データと一意的に対応している。例えば、図１１（ａ）においては、値が「１」であるデータが「Ａ」なる属性データに対応しており、この属性データに対応する情報が表示されていることを示している。また、値が「０」であるデータは、その属性データに対応する情報が表示されていないことを示している。
【００５６】
この例において、表示媒体の情報が書き換えられ、「Ａ」なる属性データに対応する情報が消去されて「Ｂ」なる属性データに対応する情報が表示されると、無線タグ１２０が記憶するデータは、図１１（ｂ）に示すように変更される。すなわち、「Ａ」なる属性データに対応するデータの値が「１」から「０」に変更され、「Ｂ」なる属性データに対応するデータの値が「０」から「１」に変更される。
【００５７】
（６）変形例６
無線タグ１２０は、属性データに加え、表示媒体１００（又は５００）の使用者を識別するデータを記憶してもよく、また、かかるデータを属性データとともに送受信する構成であってもよい。使用者を識別するデータを併用した場合、どの情報を持ち出したかといった情報に加え、誰が持ち出したかといった情報も得られる。
【００５８】
（７）変形例７
上述した実施形態において、情報記録装置２００は、本発明のデータ供給装置と情報記録手段とを兼ねたものであるが、本発明は、データ供給装置と情報記録手段とを別体に構成したものであってもよい。例えば、本発明は、表示媒体に情報記録手段が含まれる構成であってもよい。
【００５９】
（８）変形例８
本発明において、表示体は、モノクロ表示を行うものに限らず、カラー表示を行うものであってもよい。また、表示体は、コレステリック液晶表示素子ではなく、他の表示素子を用いたものであってもよい。さらに、表示体は、ロイコ色素を用いた書き換え可能な表示体のように、記録の際に電圧の印加が不要なものであってもよい。
【００６０】
（９）変形例９
本発明は、表示媒体のみならず、表示媒体に情報を記録する情報記録装置や、これら表示媒体及び情報記録装置を備える情報記録システムを含む。また、本発明は、情報記録システム、サーバ装置及び読取装置を組み合わせた情報管理システムとしても特定され得る。なお、本発明の情報管理システムにおいて、サーバ装置に相当する機能の一部又は全部は、情報記録装置又は読取装置が備えていてもよい。
【図面の簡単な説明】
【００６１】
【図１】情報管理システムの構成を示す図
【図２】表示体の構成の一例を示す図
【図３】無線タグの構成を示すブロック図
【図４】表示媒体の外観を示す図
【図５】情報記録装置の構成を示すブロック図
【図６】サーバ装置が実現する機能を示す機能ブロック図
【図７】読取装置が実現する機能を示す機能ブロック図
【図８】表示媒体の電気的な接続を制御する構成を例示する図
【図９】表示媒体の電気的な接続を制御する構成を例示する図
【図１０】表示媒体の外観を示す図
【図１１】無線タグが記憶するデータの変形例を示す図
【符号の説明】
【００６２】
１０…情報管理システム、１００…表示媒体、１１０…表示体、１２０…無線タグ、１２１…通信部、１２２…電力抽出部、１２３…制御部、１２４…記憶部、１３１、１３２、１３３、１３４…接点、２００…情報記録装置、３００…サーバ装置、４００…読取装置
【図１】
2010072566.tif 000003
【図２】
2010072566.tif 000004
【図３】
2010072566.tif 000005
【図４】
2010072566.tif 000006
【図５】
2010072566.tif 000007
【図６】
2010072566.tif 000008
【図７】
2010072566.tif 000009
【図８】
2010072566.tif 000010
【図９】
2010072566.tif 000011
【図１０】
2010072566.tif 000012
【図１１】
2010072566.tif 000013